(57)【要約】【課題】  卵を破壊することなくハウユニットの低い卵を判別することができる卵の鮮度測定器とその測定方法を提供する。【解決手段】  卵の鮮度測定器１は、テラヘルツ領域の電磁波ＬＩを卵１０に向けて照射する照射部２と、卵に照射されて卵白等の影響を受けた電磁波ＬＯを検出する検出部４と、検出部４によって検出された電磁波の信号に基づいて卵白等の影響を受けた電磁波のスペクトルを求める演算部６と、演算部６において求められた電磁波のスペクトルに基づいて卵の鮮度を判定する判定部８とを備えている。テラヘルツ領域の電磁波を卵に照射して卵の影響を受けた電磁波の電場強度の時間変化を測定し、これをフーリエ変換することによって求められる卵白の影響を受けたスペクトルに基づいてハウユニットが低く鮮度が低い卵が判定される。【選択図】        図１
2006105646.tif 000002
【特許請求の範囲】
【請求項１】
テラヘルツ領域の電磁波を卵に向けて照射する電磁波照射部と、
卵に照射されて卵内物質の影響を受けた電磁波を検出する検出部と、
前記検出部によって検出された電磁波の信号に基づいて卵内物質の影響を受けた電磁波のスペクトルを求める演算部と、
前記演算部において求められた卵内物質の影響を受けた電磁波のスペクトルに基づいて卵の鮮度を判定する判定部と
を備えた、卵の鮮度測定器。
【請求項２】
前記電磁波照射部は、間欠的にパルス状の電磁波を照射する機能を有し、
前記演算部は、間欠的に照射されるパルス状の電磁波の照射タイミングに基づいて所定時間後の所定時間内に受光する電磁波のみを処理することにより、卵白と卵黄との境界において反射した電磁波の成分から卵殻と卵白との境界において反射した電磁波の成分を差し引く機能を有する、請求項１記載の卵の鮮度測定器。
【請求項３】
前記判定部は、あらかじめ記憶された卵白の劣化の程度を数値化したハウユニットと卵内物質の影響を受けた電磁波のスペクトルとの関係のデータに基づいて卵の鮮度を判定する機能を有する、請求項１または２に記載の卵の鮮度測定器。
【請求項４】
前記判定部は、求められた卵内物質の影響を受けた電磁波のスペクトルのデータに基づいて卵白の劣化の程度を示すハウユニットを算出する機能を有する、請求項１または２に記載の卵の鮮度測定器。
【請求項５】
前記卵内物質とは卵白である、請求項１〜４のいずれかに記載の卵の鮮度測定器。
【請求項６】
テラヘルツ領域の電磁波を卵に向けて照射する照射工程と、
卵に照射されて卵内物質の影響を受けた電磁波を検出する工程と、
検出された電磁波の信号に基づいて卵内物質の影響を受けた電磁波のスペクトルを求める工程と、
求められた卵内物質の影響を受けた電磁波のスペクトルに基づいて卵の鮮度を判定する判定工程と
を備えた、卵の鮮度測定方法。
【請求項７】
前記照射工程は、パルス状の電磁波を間欠的に卵に照射する工程を含み、
前記卵内物質の影響を受けた電磁波のスペクトルを求める工程は、間欠的に照射されるパルス状の電磁波の照射タイミングに基づいて所定時間後の所定時間内に受光する電磁波のみを処理することにより、卵白と卵黄との境界において反射した電磁波の成分から卵殻と卵白との境界において反射した電磁波の成分を差し引く工程を含む、請求項６記載の卵の鮮度測定方法。
【請求項８】
前記判定工程は、あらかじめ記憶された卵白の劣化の程度を数値化したハウユニットと卵内物質の影響を受けた電磁波のスペクトルとの関係のデータに基づいて卵の鮮度を判定する工程を含む、請求項６または７に記載の卵の鮮度測定方法。
【請求項９】
前記判定工程は、求められた卵内物質の影響を受けた電磁波のスペクトルのデータに基づいて卵白の劣化の程度を示すハウユニットを算出する工程を含む、請求項６または７に記載の卵の鮮度測定方法。
【請求項１０】
前記卵内物質とは卵白である、請求項６〜９のいずれかに記載の卵の鮮度測定方法。
【発明の詳細な説明】
【技術分野】
【０００１】
本発明は卵の鮮度測定器およびその測定方法に関し、特に、非破壊で卵の鮮度を測定する卵の鮮度測定器と、その測定方法とに関するものである。
【背景技術】
【０００２】
市場で販売される卵には食品としての鮮度の高さが求められる。そのような卵の鮮度を判定する手法の一つとして、たとえば、特許文献１では、卵を割ってこれを所定の検査トレーに乗せ、トレー上の卵白の高さを測定することにより卵の鮮度を判定する手法が提案されている。この卵の鮮度の測定は、鮮度が低くなると卵黄を取巻く卵白が水様化することによって卵白の高さが低くなる性質を利用するものである。また、その他に、割卵して鮮度を判定する方法としては、鮮度が低くなると卵黄の高さが低くなる性質を利用する方法もある。
【０００３】
一方、卵を割卵せずに非破壊で卵の鮮度を判定する手法が提案されている。たとえば、特許文献２では、卵に短波長の可視光線または紫外線を照射し、自家蛍光を測定することにより卵の鮮度を判定する手法が提案されている。この卵の鮮度の判定は、卵殻に付着した特定の色素による自家蛍光の強度が産卵後の経過日数とともに減衰する傾向を有することを利用するものである。また、特許文献３では、ハロゲンランプの光を卵に照射して現出した気室の大きさを測定することによって卵の鮮度を判定する手法が提案されている。この卵の鮮度の判定は、卵内の気室が産卵後の経過日数とともに大きくなっていくことを利用するものである。
【０００４】
このように、従来の非破壊による卵の鮮度の判定においては、産卵後の経過時間によって変化する卵殻に付着した特定の色素の蛍光強度あるいは気室の大きさを測定することにより産卵後の日数を推定して卵の鮮度が判定される。
【特許文献１】特開平９−１７８７２８号公報
【特許文献２】特開平４−３２６０６０号公報
【特許文献３】特開２００１−１７０２０号公報
【発明の開示】
【発明が解決しようとする課題】
【０００５】
しかしながら、従来の非破壊による卵の鮮度を判定する手法では次のような問題点があった。
【０００６】
卵の鮮度を数値で示すものとしてハウユニット（Haugh Unit:HU）がある。ハウユニットは、卵の卵白（濃厚卵白）の形態変化に卵の重量変化を組合わせて濃厚卵白の劣化度を表す指標として考えられた単位であり、所定の算出式によって算出される。ハウユニットは卵の濃厚卵白の高さが劣化とともに低くなっていくことに基づいて、卵の鮮度を判定するものである。
【０００７】
アメリカ合衆国農務省の規格では、ハウユニットが７２以上がＡＡ級（最高級品位）、６０〜７２未満がＡ級（高級品位）、３１〜６０未満がＢ級（中級品位）、３１未満がＣ級（低級品位）とされる。このハウユニットは、産卵直後では９０前後を示すが日数の経過とともにハウユニットは低下する。
【０００８】
養鶏場において産卵された卵の中には、産卵直後であってもハウユニットの低い卵が存在することがある。ところが、卵殻に付着した特定の色素の蛍光強度あるいは気室の大きさを測定することにより産卵後の日数を推定することによって卵の鮮度を判定する従来の鮮度の判定手法では、このような産卵直後のハウユニットの低い卵を判別して排除することができなかった。
【０００９】
本発明は上記問題点を解決するためになされたものであり、その目的は卵を破壊することなくハウユニットの低い卵を判別することができる卵の鮮度測定器を提供することであり、他の目的は、その測定方法を提供することである。
【課題を解決するための手段】
【００１０】
本発明に係る卵の鮮度測定器は、電磁波照射部と検出部と演算部と判定部とを備えている。電磁波照射部はテラヘルツ領域の電磁波を卵に向けて照射する。検出部は卵に照射されて卵内物質の影響を受けた電磁波を検出する。演算部は検出部によって検出された電磁波の信号に基づいて卵内物質の影響を受けた電磁波のスペクトルを求める。判定部は演算部において求められた卵内物質の影響を受けた電磁波のスペクトルに基づいて卵の鮮度を判定する。
【００１１】
この構成によれば、卵内物質の影響を受けた電磁波のスペクトルを求めることで、産卵直後から卵白が水様化した鮮度の低い卵を非破壊で確実に検知することができて、これを排除することができる。
【００１２】
また、電磁波照射部はパルス状の電磁波を間欠的に照射する機能を有し、演算部は、間欠的に照射されるパルス状の電磁波の照射タイミングに基づいて所定時間後の所定時間内に検出する電磁波を処理することにより、卵白と卵黄との境界において反射した電磁波の成分から卵殻と卵白との境界において反射した電磁波の成分を差し引く機能を有することが好ましい。
【００１３】
これにより、卵内物質の影響を受けた電磁波のスペクトルに対して、卵殻の影響を受けた電磁波のスペクトルの部分を差し引くことができて、より精度の高い卵の鮮度判定を行なうことができる。
【００１４】
より具体的に判定部としては、あらかじめ記憶された卵白の劣化の程度を数値化したハウユニットと卵内物質の影響を受けた電磁波のスペクトルとの関係のデータに基づいて卵の鮮度を判定する機能を有しているか、あるいは、求められた卵内物質の影響を受けた電磁波のスペクトルのデータに基づいて卵白の劣化の程度を示すハウユニットを算出する機能を有していてもよい。また、卵白の劣化は卵白の水様化と関係していることから、卵内物質は卵白であることが好ましい。
【００１５】
本発明に係る卵の鮮度測定方法は以下の工程を備えている。テラヘルツ領域の電磁波を卵に向けて照射する。卵に照射されて卵内物質の影響を受けた電磁波を検出する。検出された電磁波の信号に基づいて卵内物質の影響を受けた電磁波のスペクトルを求める。求められた卵内物質の影響を受けた電磁波のスペクトルに基づいて卵の鮮度を判定する。
【００１６】
この方法によれば、卵内物質の影響を受けた電磁波のスペクトルを求めることで、産卵直後から卵白が水様化した鮮度の低い卵を非破壊で確実に検知することができて、これを排除することができる。
【００１７】
また、電磁波を照射する照射工程は、パルス状の電磁波を間欠的に卵に照射する工程を含み、卵内物質の影響を受けた電磁波のスペクトルを求める工程は、間欠的に照射されるパルス状の電磁波の照射タイミングに基づいて所定時間後の所定時間内に受光する電磁波を処理することにより、卵白と卵黄との境界において反射した電磁波の成分から卵殻と卵白との境界において反射した電磁波の成分を差し引く工程を含むことが好ましい。
【００１８】
これにより、卵内物質の影響を受けた電磁波のスペクトルに対して、卵殻の影響を受けた電磁波のスペクトルの部分を差し引くことができて、より精度の高い卵の鮮度判定を行なうことができる。
【００１９】
より具体的に卵の鮮度を判定する判定工程は、あらかじめ記憶された卵白の劣化の程度を数値化したハウユニットと卵内物質の影響を受けた電磁波のスペクトルとの関係のデータに基づいて卵の鮮度を判定する工程を含むか、あるいは、求められた卵内物質の影響を受けた電磁波のスペクトルのデータに基づいて卵白の劣化の程度を示すハウユニットを算出する工程を含むようにしてもよい。また、卵白の劣化は卵白の水様化と関係していることから、卵内物質は卵白であることが好ましい。
【発明を実施するための最良の形態】
【００２０】
まず、本発明の実施の形態に係る卵の鮮度測定器について説明する。本発明に係る卵の鮮度測定器では、テラヘルツ領域の電磁波を卵に照射して卵の影響を受けた電磁波の電場強度の時間変化が測定される。そして、これを時間から周波数へフーリエ変換することによって電磁波スペクトルが算出され、さらに、その電磁波スペクトルに基づいて卵白の吸光度スペクトルを求めることによって卵の鮮度が判定される。
【００２１】
図１に示すように、卵の鮮度測定器１は、テラヘルツ領域の電磁波ＬＩを卵に向けて照射する照射部２と、卵に照射されて卵白等の影響を受けた電磁波ＬＯを検出する検出部４とを備え、さらに、その検出部４によって検出された電磁波の信号に基づいて卵白等の影響を受けた電磁波のスペクトルを求める演算部６と、演算部６において求められた電磁波のスペクトルに基づいて卵の鮮度を判定する判定部８とを備えている。
【００２２】
次に、上述した卵の鮮度測定器１による測定方法について、図２に示すフローチャートに基づいて説明する。まず、ステップＳ１において時間応答データが取得される。この時間応答データは、ピコ秒オーダの極めて短い時間に対するものであるため、この卵の鮮度測定器１による鮮度の測定においては、公知のポンププローブ法が用いられる。これについて、詳細に説明する。図１に示す卵の鮮度測定器１内では、所定のパルスレーザ（図示せず）からパルス状の電磁波が、数十ＭＨｚにて繰り返し放射される。
【００２３】
放射された電磁波は、ビームスプリッタ（図示せず）によって、第１の電磁波（ポンプ光）と第２の電磁波（プローブ光）との２つの電磁波に分けられる。第１の電磁波は照射部２へ導かれて、テラヘルツ光源（図示せず）に対しテラヘルツ領域のパルス状の電磁波を発生させる。発生したパルス状の電磁波が卵１０に照射されることになる。ここで、テラヘルツ領域の電磁波とは、周波数０．０２５ＴＨｚ〜１０ＴＨｚの領域の電磁波をいう。また、電磁波のパルス幅は、ピコ秒オーダの極めて短い時間とされる。
【００２４】
一方、第２の電磁波は、卵の影響を受けた電磁波を検出部４によって検出タイミングを計るために検出部４へ導かれる。このとき、第２の電磁波の光路長を、可動鏡（図示せず）の位置を変更することによって変化させて、第２の電磁波が検出部４に到達する時間をΔτだけ遅らせることにより、検出部４を動作させるタイミングがずらされることになる。なお、光路長としてたとえば約０．３ｍｍ変化させることにより、時間を約１ピコ秒遅らせることが可能である。
【００２５】
上記のように、第１の電磁波（ポンプ光）はテラヘルツ領域のパルス状の電磁波を発生させるためにテラヘルツ光源（図示せず）へ導かれ、一方、第２の電磁波（プローブ光）はテラヘルツ電磁波検出器（図示せず）を動作させるために検出部４に導かれる。パルスレーザから放射されるパルス状の電磁波の繰り返しは数十ＭＨｚであるので、照射部２からテラヘルツ領域のパルス状の電磁波は、数十ＭＨｚの繰り返しで卵に照射されることになる。こうすることで、卵の影響を受けたテラヘルツ領域の電磁波が、数十ＭＨｚの繰り返しでテラヘルツ電磁波検出器に到達することになる。
【００２６】
しかしながら、現在の光検出技術では、テラヘルツ電磁波検出器に繰り返し到達するテラヘルツ領域の１つのパルス状の電磁波の波形を瞬時にそのまま計測することは不可能である。そのため、この卵の鮮度測定器１では、同じ波形のテラヘルツ領域のパルス状の電磁波が数十ＭＨｚの繰り返しで到達することを利用し、第１の電磁波（ポンプ光）と第２の電磁波（プローブ光）の間に時間遅延装置（図示せず）を設けて遅延時間の大きさを変えながら、その遅延時間の位置におけるテラヘルツ領域のパルス状の電磁波の波形の高さを計測し、計測された各電磁波の高さをつなぎ合わせることによってテラヘルツ領域のパルス状の電磁波の全体の波形を計測することとしている。
【００２７】
すなわち、テラヘルツ光源を作動させる第１の電磁波に対して、テラヘルツパルス電磁波検出器を動作させるタイミングをΔτ秒だけ遅らせることにより、Δτ秒だけ遅れた時間におけるテラヘルツ領域のパルス状の電磁波の電場強度を測定することができる。上記のように、可動鏡を徐々に移動させることは、第２の電磁波（プローブ光）の光路長を変化させて計測タイミングの遅延時間Δτを徐々に変えていることになる。このようにして、テラヘルツ領域の電磁波の電場の時系列波形を測定することができて、卵に照射されて卵の影響を受けたテラヘルツ領域の電磁波の電場強度の時間変化の波形、すなわち、時間応答データが得られることになる。
【００２８】
ところで、卵の各部分の影響を受けた電磁波の成分としては、図３に示すように、大きく４つの電磁波成分Ｌ1〜Ｌ4が考えられる。まず、電磁波成分Ｌ1は、卵に電磁波ＬＩが照射されて卵殻１１の表面によって反射される電磁波の成分である。電磁波成分Ｌ2は、卵殻１１を透過して卵殻１１と卵白１２との境界部分において反射される電磁波の成分である。電磁波成分Ｌ3は、卵白１２を透過して卵白１２と卵黄１３との境界部分において反射される電磁波の成分である。そして、電磁波成分Ｌ4は、卵黄１３を透過しさらに卵白１２と卵殻１１を透過した電磁波の成分である。
【００２９】
電磁波成分Ｌ1〜Ｌ4は卵においてそれぞれ反射した位置が違うために、照射部２から検出部４までそれぞれの電磁波が進む距離が異なり、電磁波成分Ｌ1〜Ｌ4の順に電磁波の進む距離は長くなる。これにより、測定されるパルス電磁波の電場強度の時間変化においては、電磁波成分Ｌ1〜Ｌ4の順にそれぞれに対応した変化が測定されることになる。
【００３０】
すなわち、図４に示すように、卵に照射されたパルス電磁波ＬＩに対し、まず、電磁波成分Ｌ1に対応した電場強度の波形が測定され、次に、電磁波成分Ｌ2に対応した電場強度の波形が測定される。次に、電磁波成分Ｌ3に対応した電場強度の波形が測定され、そして、電磁波成分Ｌ4に対応した電場強度の波形が測定されることになる。このようにして、一連の電場強度の波形が時間応答データｙ（τ）として取得されることになる。
【００３１】
次のステップＳ２においては、時間応答データｙ（τ）の分割が行なわれる。すなわち、ステップＳ１において求められた時間応答データｙ（τ）が、電磁波成分Ｌ1〜Ｌ4にそれぞれ対応する電場の波形部分に基づいた時間応答データｙ1（τ）〜ｙ4（τ）に分割される。次のステップＳ３においては、分割された時間応答データｙｉ（τ）を時間から周波数へフーリエ変換することによって、周波数応答データＹｉ（τ）が求められる。次のステップＳ４においては、吸光度スペクトルのデータが算出される。すなわち、周波数応答データＹｉ（τ）を照射する電磁波ＬＩの対応する周波数応答データ（基準データ）で除し、その値の対数が求められる。このようにして、電磁波成分Ｌ1〜Ｌ4にそれぞれ対応する吸光度スペクトルのデータが求められる。
【００３２】
次のステップＳ５においては、卵白の吸光度スペクトルのデータが算出される。これについて詳細に説明する。ハウユニットの低い卵では、卵白の水様化が進んで卵白を構成するたんぱく質の構造が変化していると考えられる。この卵白を構成するたんぱく質の構造の変化が、テラヘルツ領域の電磁波による吸光度スペクトルの変化として捉えられる。
【００３３】
４つの電磁波成分Ｌ1〜Ｌ4の成分のうち、卵白１２を透過して卵白の影響を受けた電磁波成分には電磁波成分Ｌ3、Ｌ4がある。このうち、電磁波成分Ｌ4は卵黄も透過することで卵黄の影響も受けることになるため、電磁波成分Ｌ3だけを考慮する。その電磁波成分Ｌ3は卵殻を透過しているため、卵殻の影響も受けている。卵殻の影響は、卵殻を透過して卵殻と卵白との境界部分で反射した電磁波成分Ｌ2を考慮する。
【００３４】
そこで、電磁波成分Ｌ3に対応する吸光度スペクトルのデータから、卵殻の影響だけを受けた電磁波成分Ｌ2に対応する吸光度スペクトルのデータを差し引いて、卵白だけの吸光度スペクトルのデータが求められることになる。こうして求められた卵白だけの吸光度スペクトルのデータに基づいて、図５に示すように、卵白の吸光度スペクトルが求められる。
【００３５】
次のステップＳ６においては、卵白の吸光度スペクトルのデータに基づいてテラヘルツ領域を複数の周波数帯Ａ，Ｂに分け、各周波数帯Ａ，Ｂにおける卵白の吸光度の平均値が算出される。次のステップＳ７においては、各周波数帯別の吸光度の平均値から吸光度スペクトルの各部の凹凸や傾斜の程度など、グラフの形状を表わす諸量が計算され、これらの組合わせで吸光度スペクトルの形状の違い、つまり、スペクトル形状の違いを表わす特徴量が計算される。この特徴量は、ハウユニットと相関の高いものが選ばれており、特徴量の値からハウユニットが算出される。
【００３６】
ここで、卵白の吸光度スペクトルと卵のハウユニットの関係について説明する。図５には、４つの異なる卵の吸光度スペクトルＴ１〜Ｔ４が示されている。吸光度スペクトルＴ１は、産卵後２日目で、ハウユニットが８４の卵の吸光度スペクトルである。吸光度スペクトルＴ２は、産卵後１５日目で、ハウユニットが４３の卵の吸光度スペクトルであり、吸光度スペクトルＴ３は、産卵後１５日目で、ハウユニットが４５の卵の吸光度スぺクトルである。そして、吸光度スペクトルＴ４は、産卵後９日目で、ハウユニットが４２の卵の吸光度スペクトルである。
【００３７】
図５に示すように、ハウユニットが高い（ハウユニット：８４）吸光度スペクトルＴ１と、ハウユニットが低い（ハウユニット：４２〜４５）吸光度スペクトルＴ２〜Ｔ４とを比較すると、周波数帯Ｂにおいて、ハウユニットの低い卵の吸光度が、ハウユニットが高い卵の吸光度よりも高い値を示す傾向があることがわかる。このことから、周波数帯Ｂにおける吸光度スペクトルの吸光度の平均値の違いからハウユニットの違いを推定することができることがわかる。さらに、図６に示すように、周波数帯Ｂにおける吸光度の平均値と、周波数帯Ａにおける吸光度の平均値との差から吸光度スペクトルの傾斜を求めて、これに周波数帯Ｂにおける吸光度の平均値を乗算して求められた特徴量がハウユニットとより高い相関関係があることがわかる。
【００３８】
この知見に基づき、卵の鮮度測定器１では、卵白の吸光度スペクトルから算出されるスペクトル形状の違いを表わす特徴量とハウユニットとの関係が、データとしてあらかじめ記憶されている。これにより、卵白の吸光度スペクトルの吸光度から算出された特徴量とあらかじめ記憶されたデータに基づいて、測定に係る卵のハウユニットが算出される。
【００３９】
ステップＳ８においては、算出されたハウユニットが所定の値よりも高いか否かが判定される。算出されたハウユニットが所定の値よりも高い場合には、その測定に係る卵の卵白の水様化は進んでおらず鮮度が高い卵と判定される。一方、算出されたハウユニットが所定の値よりも低い場合には、ステップＳ９においてその測定に係る卵は卵白の水様化が認められる卵として排除されることになる。このようにして一連の卵の鮮度測定が終了する。なお、ステップＳ１からステップＳ５は演算部６で行なわれ、ステップＳ６からステップＳ９は判定部８で行なわれる。
【００４０】
上述した卵の鮮度測定器では、テラヘルツ領域のパルス電磁波を卵に照射して、卵の影響を受けた電磁波の電場強度の時間変化を測定し、その電場強度のうち卵白の影響を受けた部分の電場強度の変化に基づいて卵白の吸光度スペクトルが算出される。これにより、産卵直後の卵であっても、卵白が水様化したハウユニットの低い卵を非破壊で判定することができてこれを排除することができる。
【００４１】
なお、上述した卵の鮮度測定器では、測定に係る卵のハウユニットを求めてこれに基づいて卵の鮮度を判定したが、ハウユニットだけを求めるようにしてもよい。また、卵白の吸光度スペクトルの変化を捉えて卵の鮮度を判定するようにしたが、この他に、卵黄を透過した電磁波成分Ｌ4に基づいて卵黄の吸光度スペクトルの変化を捉えて卵の鮮度を判定することも可能である。また、卵白の吸光度スペクトルを求めるようにしたが、卵白の変化を検出することができるスペクトルであれば、吸光度スペクトルに限られず、たとえば透過スペクトルや反射スペクトルでもよい。
【００４２】
今回開示された実施の形態は例示であってこれに限られるものではない。本発明は上記で説明した範囲ではなく、特許請求の範囲によって示され、特許請求の範囲と均等の意味および範囲でのすべての変更が含まれることが意図される。
【図面の簡単な説明】
【００４３】
【図１】本発明の実施の形態に係る卵の鮮度測定器の構成を示すブロック図である。
【図２】同実施の形態において、卵の鮮度測定方法のフローチャートである。
【図３】同実施の形態において、卵に照射されて卵の影響を受けた電磁波成分を示す図である。
【図４】同実施の形態において、照射される電磁波の電場強度と、卵の影響を受けた電磁波の電場強度の波形を示す図である。
【図５】同実施の形態において、卵白の吸光度スペクトルを示す図である。
【図６】同実施の形態において、吸光度スペクトルから算出された特徴量とハウユニットとの関係を示すグラフである。
【符号の説明】
【００４４】
１  卵の鮮度測定器、２  照射部、４  検出部、６  演算部、８  判定部、１０  卵、１１  卵殻、１２  卵白、１３  卵黄。
【図１】
2006105646.tif 000003
【図２】
2006105646.tif 000004
【図３】
2006105646.tif 000005
【図４】
2006105646.tif 000006
【図５】
2006105646.tif 000007
【図６】
2006105646.tif 000008